(57)【特許請求の範囲】
【請求項１】
装置本体の底面の四隅にキャスタを取り付けるキャスタ付き画像形成装置において、
それぞれ対角位置にある２個のキャスタ間を結ぶ２本の線が交差する位置より重心がずれる方向と反対の方向の側にあるキャスタであることを示す印を設けてなる、キャスタ付き画像形成装置。
【請求項２】
装置本体の底面の四隅にキャスタを取り付けるキャスタ付き画像形成装置において、
それぞれ対角位置にある２個のキャスタ間を結ぶ２本の線が交差する位置より重心がずれる方向と反対の方向を指示する印を設けてなる、キャスタ付き画像形成装置。
【請求項３】
装置本体の底面の四隅にキャスタを取り付けるキャスタ付き画像形成装置において、
前記装置本体の底面に補助キャスタを取り付け、
その補助キャスタの位置と、それぞれ対角位置にある２個のキャスタ間を結ぶ２本の線が交差する位置より重心がずれる方向と反対の方向の側にある２個のキャスタの位置とを結ぶ三角形の中に、前記重心の平面位置を内包してなる、キャスタ付き画像形成装置。
【発明の詳細な説明】
【０００１】
【発明の属する技術分野】
この発明は、たとえば複写機・プリンタ・ファクシミリやそれらの複合機など、用紙に画像を記録する画像形成装置に関する。その中でも、比較的大型の床置き式のもので、装置本体の底面の四隅にキャスタを取り付けたキャスタ付き画像形成装置に関する。
【０００２】
【従来の技術】
従来、この種の画像形成装置の中に、たとえば図６に示すように、装置本体１の底面の四隅にキャスタ２〜５を取り付けたものがある。そのような画像形成装置では、内部部品の重量バランスから、装置本体１の重心が、キャスタ２・５間を結ぶ線ａとキャスタ３・４間を結ぶ線ｂが交差する位置ｃよりキャスタ２・３側にずれた位置にある。
【０００３】
したがって、仮に重心ｇに近いキャスタ２・３を前にして装置本体１を移動したとき、その移動通路に小穴や溝があると、図７に示すようにキャスタ２・３の一方が小穴に落ち込んだり、或いは双方が溝に落ち込んだりすることがあり、好ましくない。また、キャスタ２・４を前に、或いはキャスタ３・５前にして装置本体１を移動することも、同様に好ましくない。そのため、装置本体１を移動する際は、この重心ｇから遠いキャスタ４・５側を前にして移動することが好ましい。
【０００４】
【発明が解決しようとする課題】
ところが、そのような従来の画像形成装置では、使用者が押して装置本体１を移動する際に、その重心位置を容易には認識できないために、誤って重心ｇに近いキャスタ２・３を前にして移動させてしまうことがあり、その結果、上述のようにキャスタ２・３の一方が小穴に落ち込んだり、双方が溝に落ち込んだりしてその衝撃で装置本体１に悪影響を与えることがある。また、重量のある装置本体１を持ち上げてキャスタ２・３を小穴や溝から出す必要があり、面倒であるという課題があった。
【０００５】
【課題を解決するための手段】
そこで、請求項１に記載の発明は、たとえば以下の図示実施の形態に示すとおり、装置本体１０の底面の四隅にキャスタ１３〜１６を取り付けるキャスタ付き画像形成装置において、それぞれ対角位置にある２個のキャスタ１３・１６、１４・１５間を結ぶ２本の線が交差する位置Ｏより重心Ｇがずれる方向と反対の方向Ａの側にあるキャスタ１５・１６であることを示す印２０を設けてなる、ことを特徴とする。
【０００６】
そして、装置本体１０を移動するときは、方向Ａの側にあるキャスタ１５・１６の印２０を見て、そのキャスタ１５・１６を前にして装置本体１０を動かす。
【０００７】
請求項２に記載の発明は、たとえば以下の図５に示す実施の形態のように、装置本体１０の底面の四隅にキャスタ１３〜１６を取り付けるキャスタ付き画像形成装置において、それぞれ対角位置にある２個のキャスタ１３・１６、１４・１５間を結ぶ２本の線が交差する位置Ｏより重心Ｇがずれる方向と反対の方向Ａを指示する印を設けてなる、ことを特徴とする。
【０００８】
そして、装置本体１０を移動するときは、方向Ａを指示する印を見て、その方向Ａに装置本体１０を動かす。
【０００９】
請求項３に記載の発明は、たとえば以下の図示実施の形態に示すとおり、装置本体１０の底面の四隅にキャスタ１３〜１６を取り付けるキャスタ付き画像形成装置において、前記装置本体１０の底面に補助キャスタ３０を取り付け、その補助キャスタ３０の位置と、それぞれ対角位置にある２個のキャスタ１３・１６、１４・１５間を結ぶ２本の線が交差する位置Ｏより重心Ｇがずれる方向と反対の方向Ａの側にある２個のキャスタ１５・１６の位置とを結ぶ三角形の中に、前記重心Ｇの平面位置を内包してなる、ことを特徴とする。
【００１０】
そして、装置本体１０を移動するとき、その移動通路に小穴や溝があっても、補助キャスタ３０の働きにより、キャスタ１３〜１６が小穴に落ちたり、溝に落ちたり強い衝撃をもって落ちたりすることがないようにする。
【００１１】
【発明の実施の形態】
以下、図面を参照しつつ、この発明の実施の形態について説明する。
図３は、この発明の一実施の形態であるキャスタ付き画像形成装置の概略正面図であり、図２は、その概略底面図である。
【００１２】
図中符号１０で装置本体を示す。装置本体１０は、縦長な四角い箱形状をなし、その図３中右側に給紙カセット１１を上下二段に取り付け、左側に排紙トレイ１２を取り付けてなる。そして、装置本体１０の底面の四隅に、図２に示すようにキャスタ１３〜１６を取り付け、それらキャスタ１３〜１６で装置本体１０を移動自在に支持してなる。
【００１３】
ところで、この画像形成装置において、装置本体１の重心は、図２中符号Ｇで示すように、対角位置にあるキャスタ１３・１６間を結ぶ線とキャスタ１４・１５間を結ぶ線が交差する位置Ｏより、図中右のキャスタ１３・１４側にずれた位置にある。そして、この重心Ｇは、キャスタ１３・１４・１５の位置を線で結んでできる三角形の中に内包されるとともに、キャスタ１３・１４・１６の位置を線で結んでできる三角形の中に内包される位置にある。
【００１４】
したがって、この画像形成装置では、装置本体１０を、たとえば図２中左側のキャスタ１５・１６を前にして矢印Ａ方向に移動する際に、たとえばその移動通路に小穴が存在し、その小穴の上をキャスタ１５が通るときには、重心Ｇを、キャスタ１５を除く残り３つのキャスタ１３・１４・１６位置を頂点とする三角形の中に内包するため、その３つのキャスタ１３・１４・１６で装置本体１０を支え、キャスタ１５を小穴に落さないでその上を通過させることができる。なお、小穴の上をキャスタ１６が通るときも同様である。
【００１５】
また、この装置本体１０の移動の際に、その移動通路に溝が存在し、その溝の上をキャスタ１５・１６が通過するときには、その溝に双方のキャスタ１５・１６が落ち込むが、そのとき、反対のキャスタ１３・１４側に重心Ｇがあるため、この落ち込みによる衝撃は比較的小さくて済み、また、装置本体１０を持ち上げてキャスタ１５・１６を溝から出すことも比較的容易である。
【００１６】
ところが、反対に、重心Ｇ側のキャスタ１３・１４を前にして装置本体１０を矢印Ｂ方向に移動する場合に、移動通路に小穴が存在し、その小穴の上をキャスタ１３が通過するときには、重心Ｇを、キャスタ１３を除く残り３つのキャスタ１４〜１６位置を頂点とする三角形の中に内包しないため、キャスタ１３は、小穴に落ちてしまう。なお、小穴の上をキャスタ１４が通過するときも、同様である。また、移動通路に溝が存在したために、その溝に双方のキャスタ１３・１４が落ち込んだときには、それらキャスタ１３・１４が重心Ｇ側に位置するため、その落ち込み時の衝撃が大きく、また、装置本体１０を持ち上げてキャスタ１３・１４を溝から出すことも容易ではなくなる。なお、キャスタ１３・１５を前に、或いはキャスタ１４・１６を前にして装置本体１０を移動することも、同様な問題がある。
【００１７】
そこで、図示画像形成装置では、上述のように装置本体１０を移動する場合は、キャスタ１５・１６を前にしてＡ方向に移動することが好ましく、そのため図１に示すように、装置本体１０の一側面１０ａの下側に、キャスタ１５・１６の位置をそれぞれ示す印２０を設け、その印２０により方向Ａが使用者に判るようにする。
【００１８】
また、たとえば図４に示すように、上述した印２０と説明文２１を表示したシール２２を付けて、キャスタ１５・１６の位置を判りやすくすることもできる。
【００１９】
さらに、この発明では、上述したキャスタ位置を示す印２０とともに、或いはその印２０に代えて、図示しないが、装置本体１０に、方向Ａを指示する、たとえば矢印等の印を、見やすい適宜個所に設ける構成とすることもできる。
【００２０】
ところで、この発明では、以下の図示実施の形態に示すように、たとえば上記キャスタ１３〜１６の他に補助キャスタを加えることにより、たとえ装置本体１０を重心Ｇ側のキャスタ１３・１４を前にして移動したとしても、前述した小穴や溝にキャスタ１３・１４が落ちないようにすることもできる。
【００２１】
たとえば図５に示すように、方向Ａの側にあるキャスタ１５・１６を頂点にしてできる三角形の中で、重心Ｇの平面位置を内包する三角形の頂点位置Ｐに、補助キャスタ３０を取り付ける。
【００２２】
このようにすると、たとえば重心Ｇ側のキャスタ１３・１４を前にして矢印Ｂ方向に装置本体１０を移動させたとしても、キャスタ１３・１４が前記溝の上を通るときには、重心Ｇの平面位置を、補助キャスタ３０位置とキャスタ１５・１６位置を結ぶ三角形の中に内包するため、それらキャスタ３０・１５・１６で装置本体１０を支え、キャスタ１３・１４を溝に落さないでその上を通過させることができる。
【００２３】
また、この移動の際に、キャスタ１３が前記小穴の上を通るときも、他方のキャスタ１４と、キャスタ３０・１５・１６とで装置本体１０を支えるため、キャスタ１３を小穴に落さないでその上を通過させることができる。キャスタ１４が前記小穴の上を通るときも同様である。
【００２４】
【発明の効果】
したがって、請求項１および２に記載の発明によれば、それぞれ対角位置にある２個のキャスタ間を結ぶ２本の線が交差する位置より重心がずれる方向と反対の方向の側にあるキャスタであることを示す印を設け、或いはその反対の方向を指示する印を設けることから、装置本体の移動に際し、使用者に対し、好ましい移動方向を明確に示すことができ、その結果、装置本体を間違った方向に移動させることを防止することができる。また、好ましい移動方向に装置本体を移動したときにキャスタが溝に落ちたとしても、その衝撃を小さくすることができ、また、比較的容易に装置本体を持ち上げてキャスタを溝から出すことができる。
【００２５】
請求項３に記載の発明によれば、装置本体の底面に補助キャスタを取り付け、その補助キャスタの働きにより、いずれの方向に装置本体を移動しても、キャスタが小穴に落ちたり、溝に落ちたり強い衝撃をもって落ちたりすることを防止することができる。その結果、上述のようなキャスタを示す印や移動方向を指示する印を不用にすることもできる。
【図面の簡単な説明】
【図１】この発明の一実施の形態であるキャスタ付き画像形成装置で、その装置本体の下部を図２中左側から見て示す部分側面図である。
【図２】その画像形成装置の概略底面図である。
【図３】その画像形成装置の概略正面図である。
【図４】好ましい移動方向側のキャスタの印と説明文を表示したシールの構成説明図である。
【図５】請求項３に記載の発明の一実施の形態であるキャスタ付き画像形成装置の概略底面図である。
【図６】従来のキャスタ付き画像形成装置の概略底面図である。
【図７】その画像形成装置のキャスタが小穴や溝に落ち込んだ状態を示す状態説明図である。
【符号の説明】
１０        装置本体
１３〜１６  キャスタ
２０        印
３０        補助キャスタ
Ａ          方向
Ｇ          重心
【図１】
0003695675.tif 000002
【図２】
0003695675.tif 000003
【図３】
0003695675.tif 000004
【図４】
0003695675.tif 000005
【図５】
0003695675.tif 000006
【図６】
0003695675.tif 000007
【図７】
0003695675.tif 000008